(57)【要約】【課題】施工作業が完了した後であってもピボット軸が軸受けに適正に嵌合していることを外部から確認することを可能とするヒンジの提供。【解決手段】扉Ｄ及びその周囲の扉枠５のいずれか一方に取り付けられ、軸線方向に移動可能なピボット軸１７を備えるヒンジ本体１０と、扉Ｄ及び扉枠５の他方に取り付けられ、ピボット軸１７を回転可能に受け止める軸受け７または軸受け８３を有した第２のヒンジ３と、を備えたヒンジ２において、ヒンジ本体１０もしくは第２のヒンジ３に設けられたスイッチＳＷに接続された報知手段を具備し、ピボット軸１７が軸受け７または軸受け８３に適正に嵌合している場合にはスイッチＳＷが作動して報知手段による状態の報知が行われる。【選択図】図４
2012202180.tif 000002
【特許請求の範囲】
【請求項１】
扉及びその周囲の扉枠のいずれか一方に取り付けられ、軸線方向に移動可能なピボット軸を備えるヒンジ本体と、該扉及び該扉枠の他方に取り付けられ、該ピボット軸を回転可能に受け止める軸受けを有した第２のヒンジと、を備えたヒンジにおいて、ヒンジ本体もしくは第２のヒンジに設けられたスイッチに接続された報知手段を具備し、該ピボット軸が該軸受けに適正に嵌合している場合には該スイッチが作動して該報知手段による状態の報知が行われることを特徴とするヒンジ。
【請求項２】
該報知手段を制御する電気回路に戸袋収納検知手段が設けられていることを特徴とする請求項１記載のヒンジ。
【発明の詳細な説明】
【技術分野】
【０００１】
本発明は、防火扉等の扉を扉枠に開閉可能に取り付けるためのピボットヒンジ等のヒンジに関するものである。
【背景技術】
【０００２】
従来から扉の上端部と扉枠の上辺部とを回動可能に連結するピボットヒンジとして、上下動可能なピボット軸を備えるヒンジ本体と、当該ピボット軸を回転自在に受ける軸受けを備える第２のヒンジとを備えたものが存在する。この種のピボットヒンジは、扉又は扉枠のいずれか一方にヒンジ本体を、他方に軸受けをそれぞれ装着し、扉を扉枠に対して所定の開度で保持した状態でピボット軸を突出させて軸受けに嵌合させることによって扉が扉枠に開閉可能に取り付けられる。
【０００３】
そして、この種のピボットヒンジのピボット軸の突出状態を外部から確認することができるようにすることは下記特許文献１により公知である。特許文献１のピボットヒンジは、ヒンジ本体が具備するリンクに外部から視認可能なピンを設け、ヒンジ本体に形成した溝に対するピンの位置によってピボット軸の突出状態を把握可能とするものである。そして、工具を用いてピボット軸を軸受けに嵌合させ、ヒンジ本体の溝に対するピンの位置を視認するという施工作業は、扉の上端部に形成された切欠部を用いて行われる。
【先行技術文献】
【特許文献】
【０００４】
【特許文献１】特許第４２７８６９４号公報
【発明の概要】
【発明が解決しようとする課題】
【０００５】
しかしながら、扉の上端部に形成された切欠部はヒンジ用カバーによって塞がれることになる。従って、特許文献１のピボットヒンジであっても、施工作業が完了した後は扉の上端部に位置するヒンジ用カバーを取り外さない限り、ピボット軸が軸受けに適正に嵌合しているかを外部から確認することができない。また、カバーを取り外してもピンは小さくて見えにくく、さらに周囲が暗いと確認は容易ではなかった。
【０００６】
本発明はかかる点に鑑みてなされたものであり、その目的とするところは、施工作業が完了した後であってもピボット軸が軸受けに適正に嵌合していることを外部から容易に確認することを可能とするピボットヒンジ等のヒンジを提供することである。
【課題を解決するための手段】
【０００７】
上記目的を達成するために、本発明のヒンジは、扉及びその周囲の扉枠のいずれか一方に取り付けられ、軸線方向に移動可能なピボット軸を備えるヒンジ本体と、該扉及び該扉枠の他方に取り付けられ、該ピボット軸を回転可能に受け止める軸受けを有した第２のヒンジと、を備えたヒンジにおいて、ヒンジ本体もしくは第２のヒンジに設けられたスイッチに接続された報知手段を具備し、該ピボット軸が該軸受けに適正に嵌合している場合には該スイッチが作動して該報知手段による状態の報知が行われることを特徴とする。
【０００８】
ここで、該報知手段を制御する電気回路に戸袋収納検知手段が設けられていることが好ましい。
【発明の効果】
【０００９】
本発明のヒンジによれば、施工作業が完了した後においてもヒンジに設けられた報知手段によりヒンジのピボット軸が軸受けに適正に嵌合しているかを確認することができる等の効果を奏する。
【図面の簡単な説明】
【００１０】
【図１】本実施形態に係るヒンジの取付断面図である。
【図２】吊り込み前のヒンジ本体の状態を示し、ヒンジ本体の正面図である。
【図３】吊り込み前のヒンジ本体の状態を示し、ヒンジ本体の左側面図である。
【図４】吊り込み前のヒンジ本体の状態を示し、ヒンジ本体の内部構造図である。
【図５】吊り込み後のヒンジ本体の状態を示し、ヒンジ本体の正面図である。
【図６】吊り込み後のヒンジ本体の状態を示し、ヒンジ本体の左側面図である。
【図７】吊り込み後のヒンジ本体の状態を示し、ヒンジ本体の内部構造図である。
【図８】ヒンジを使用した扉の動作説明図である。
【図９】本実施形態に係るヒンジ用カバーを切欠部に装着した状態を示す図である。
【図１０】報知手段を制御する電気回路図である。
【図１１】本発明の他の実施形態のヒンジの取付図である。
【発明を実施するための形態】
【００１１】
以下、本発明の実施形態について図面に基づいて説明する。なお、以下の説明では本発明をピボットヒンジに適用した一例を示すが、オートスイングヒンジ、フロアヒンジ等に適用することも可能である。
【００１２】
図８は天井側から垂直方向に下方を見た扉Ｄの動作説明用の図であるが、図８（Ａ）は普段の扉Ｄの状態を表し、通路９０の壁９１に設けられた防火扉収納部９２に扉Ｄは収納されている。火災が発生すると、図８（Ｂ）のように、自閉装置により防火扉収納部９２から回動して引き出され、通路９０を閉じる。こうすることにより、火災による煙が通路９０を伝って蔓延することが防止される。
【００１３】
−ヒンジの構成等−
まず、図１乃至図７を参照して、本実施形態に係るヒンジ２の構成について説明する。図１に示すように、ヒンジ２は、防火扉等の扉Ｄの上端部左側に取り付けられるヒンジ本体１０と、扉枠５に取り付けられる軸受け７を備える基体４からなる第２のヒンジ３とを備えている。基体４を不図示の固定具で扉枠５に固定することにより第２のヒンジ３は扉枠５に取り付けられる。
【００１４】
ヒンジ本体１０にはピボット軸１７が設けられ、第２のヒンジ３の軸受け７には前記ピボット軸１７を挿脱可能な筒状の穴８が設けられている。当該穴８はピボット軸１７と同軸上に配置され、当該ピボット軸１７が穴８に挿入された時には、当該ピボット軸１７を回転可能に受け止める。
【００１５】
そして、ヒンジ本体１０のピボット軸１７が軸受け７の穴８に挿入されると、当該扉Ｄが扉枠５に対して吊り込まれ、扉Ｄが水平方向に回動可能になる。
【００１６】
図２に示すように、ヒンジ本体１０は、ピボット軸１７の他に扉Ｄの上端部に沿って取り付けられる基体１１と、当該基体１１の幅方向において下方垂直方向に平行に延びる一対の側体１２、１２とを有する本体１３を備えている。当該本体１３は、図４に示すように、基体１１の左端部側に側体１２が固定具１４、１４によって取り付けられることによって構成される。
【００１７】
また、基体１１の左端部には、筒状の案内筒１５が側体１２、１２間にあって下方に突出しカシメ止め、又は溶接等により強固に固定され設けられており、その案内筒１５の孔１５ａにはピボット軸１７が上下動可能に挿入される。ピボット軸１７の下方右側方には側体１２、１２の間に回転軸１９がその軸線をピボット軸１７の軸線方向に対して直交させて設けられている。図３に示すように、当該回転軸１９の両端部には十字状の操作部２０が一体的に形成され、それら操作部２０は回転可能に側体１２、１２の両端面に露出している。
【００１８】
図３及び図４に示すように、回転軸１９には、当該回転軸１９と一体的に回転する左右一対の回転体２２が設けられており、当該回転体２２の周囲にはその周方向に突出する３つの突出部２２ａ、２２ｂ、２２ｃが形成されている。一方の突出部２２ａは、リンク２５を介してピボット軸１７と連結ピン２６、２７により連結される。このリンク２５は、連結ピン２６、２７を介してピボット軸１７と回転体２２の一方の突出部２２ａとに回動可能に取り付けられる。
【００１９】
また、回転軸１９には、第１のコイルばね２９が巻回されており、当該第１のコイルばね２９は回転体２２と一方の側体１２との間に配置される。当該第１のコイルばね２９の一端は、回転体２２に形成された一方の突出部２２ａの根元に係合され、他端は一方の側体１２の一部が内側に折り曲げられて形成された曲折体１２ａに係合される。当該第１のコイルばね２９は、図４上における回転軸１９の左回り方向への回転に対して所定の抵抗力ｆ１ａが付与されるようになっている。
【００２０】
また、ピボット軸１７の下方には前記第１のコイルばね２９よりも弾性力が強力な第２のコイルばね３０が配置される。当該第２のコイルばね３０の一端は回転体２２の他方の突出部２２ｂに配置された軸体３１に係合され、他端は前記回転体２２の下方であって前記側体１２、１２に掛け渡されて取り付けられる支持軸２３に係合される。当該第２のコイルバネ３０は、回転軸１９の軸回りにおける所定の回転角を境に、回転軸１９の左回り方向への回転に対する抵抗力ｆ１ｂと、右回り方向への回転に対する抵抗力Ｆ２と、が切り替えられて付与されるようになっている。具体的には、図４上における回転軸１９の左回り方向への回転に対して抵抗力Ｆ１＝ｆ１ａ＋ｆ１ｂが付与され、所定の回転角に達した時に、反対方向の抵抗力Ｆ２が付与されるようになっている。
【００２１】
また、第１のコイルばね２９は、万が一、第２のコイルばね３０が破損して抵抗力ｆ１ｂが無くなった場合であっても、第１のコイルばね２９の抵抗力ｆ１ａによってリンク２５の位置を保持し、軸体３１が下がることを防止する。
【００２２】
また、回転体２２とリンク２５とを連結する連結ピン２７の両端部は側体１２、１２の両端面に露出している。側体１２、１２の両端面には、当該回転軸１９の回転にともなって前記回転軸１９の周囲を扇状に上下方向に移動する連結ピン２７の移動軌跡に沿って溝２８が形成されており、連結ピン２７は当該溝２８に沿って移動する。回転体２２の回転範囲は、図４に示すように回転体２２の突出部２２ｃが側体１２に形成された曲折体１２ａに当接することと、図７に示すように回転体２２の突出部２２ａが曲折体１２ａに当接することによって規制されており、回転体２２の回転に応じてピボット軸１７が上下方向に移動可能となる。具体的には、前記突出部２２ａが曲折体１２ａに当接する際は、ピボット軸１７は、略上半分が基体１１から突出するように上方向に移動し、一方、前記突出部２２ｃが曲折体１２ａに当接する際は、図４に示すように上端部が基体１１の上面と面一となるように下方向に移動する。
【００２３】
さらに、前記案内筒１５の軸線方向にあって下端部には、係止部となる溝１５ｂが軸線方向に直交して形成されている。一方、案内筒１５の孔１５ａに挿入されるピボット軸１７の下方にはその軸線方向に対して直交して、被係止部となるピン３２がその両端をピボット軸１７の外周より突出して固定されている。ピン３２はピボット軸１７の上下方向の移動に応じて、案内筒１５に形成された溝１５ｂに係脱可能となっている。
【００２４】
−ヒンジ本体の動作等−
次に、図２乃至図７を参照して、本実施形態に係るヒンジ本体の動作について説明する。
【００２５】
上記のように構成されたヒンジ本体１０は、操作部２０による回転軸１９の回転操作に応じて回転体２２が一体的に回転し、その回転がリンク２５によりピボット軸１７の上下方向の往復運動に変換され、前記ピボット軸１７が突出された状態と案内筒１５に収容された状態に移動可能になっている。
【００２６】
図５乃至図７に示すようにピボット軸１７が基体１１から突出している状態から図２乃至図４に示すようにピボット軸１７を案内筒１５内に引き込む場合には、図５乃至図７に示す状態において、回転軸１９を左方向に回転させることで、リンク２５を介してピボット軸１７をその軸線方向下方に移動させる。この時、図２乃至図４に示すように、回転体２２とリンク２５を連結する連結ピン２７は溝２８に沿って下方に移動する。また、回転軸１９が所定の回転角に達すると、回転体２２の突出部２２ｃが曲折体１２ａに当接することによって回転体２２の回転が規制される。この時、回転軸１９には、第２のコイルばね３０の弾性力によって回転軸１９の右回り方向への回転に対して抵抗力Ｆ２が付与されるため、回転体２２は元の状態に戻らずにその状態が保持される。よって、ピボット軸１７は、その先端部が案内筒１５内に収容された状態で保持される。
【００２７】
一方、図２乃至図４に示すようにピボット軸１７が案内筒１５内に引き込まれた状態から図５乃至図７に示すようにピボット軸１７を基体１１から突出させる場合には、図２乃至図４に示す状態において、回転軸１９を右回り方向に回転させることで、リンク２５を介してピボット軸１７をその軸線方向上方に移動させる。この時、回転軸１９の回転角が所定の回転角を越えると、第２のコイルばね３０の弾性力及び第１のコイルばね２９の作用によって、回転軸１９は勢いよく右回り方向に回転する。この動作によって回転体２２は突出部２２ａが側体１２に形成された曲折体１２ａと当接して回転が規制されるまで回転し、ピボット軸１７の先端が最大限に基体１１から突出する。
【００２８】
さらに、ピボット軸１７に固定されたピン３２は、案内筒１５の孔１５ａに挿入されたピボット軸１７の略上半分が軸受け７の穴８に挿入され、ドアＤが開閉可能となった状態では、案内筒１５の下端部に形成された溝１５ｂに係合する。この溝１５ｂとピン３２の係合は、案内筒１５の孔１５ａに対するピボット軸１７の軸線回りの回転を阻止する。すなわち、ピボット軸１７は案内筒１５及び案内筒１５が固定されたヒンジ本体１０、即ち、ヒンジ本体１０が取り付けられた扉Ｄに対しては回転することなく、軸受け７の穴８に対して回転することとなる。一方、ピボット軸１７の略上半分が軸受け７の穴８から脱した場合には、溝１５ｂとピン３２の係合が解除される。
【００２９】
−ヒンジの取り付け等−
次に、図１乃至図７を参照して、ヒンジ２の取り付け動作について説明する。
【００３０】
まず、ヒンジ本体１０は扉Ｄの上端左端部に例えば皿ねじなどの固定具を用いて基体１１が取り付けられる。この時、ヒンジ本体１０の側体１２、１２は扉Ｄの内部に埋め込まれ、基体１１の上面が扉Ｄの上端面と略面一となるように取り付けられる。また、扉Ｄには、側体１２、１２の溝２８、２８が外部から視認可能であって、操作部２０に対して外部から所定の工具が挿入可能なように切欠部５０（図１参照）が形成されている。当該切欠部５０は後述するヒンジ用カバー６０によって開閉可能になっている。
【００３１】
そして、ピボット軸１７を案内筒１５内から上方へ突出させる（扉を吊り込む）際には、当該切欠部５０から工具を挿入して操作部２０に係合させ、回転軸１９を右回り方向へ回転させる。一方、ピボット軸１７を案内筒１５内へ収容する際には、回転軸１９を左回り方向へ回転させればよい。
【００３２】
このように構成されたヒンジ本体１０は、扉Ｄに取り付けた状態において、扉Ｄの切欠部５０から側体１２、１２に形成された溝２８、２８に対する連結ピン２７の移動状態を視認することによりピボット軸１７の移動状態を一目で把握することが可能となり、扉の吊り込み作業を確実に行なうことができ、扉の倒れなどの事故を防止できる。
【００３３】
−報知手段の動作等−
次に報知手段の動作について説明する。図４及び図７でよく理解できるように、マイクロスイッチ７０が側体１２，１２間で基体１１に近い位置に設けられている。より詳しくは、回転体２２が図中右回り方向へ回動させられ、その突出部２２ａが曲折体１２ａに当接する位置で、突出部２２ａに連結されているリンク２５がマイクロスイッチ７０のアームを押す位置にマイクロスイッチ７０は設けられている。リンク２５がマイクロスイッチ７０のアームを押すと、マイクロスイッチ７０内部のスイッチＳＷは作動し、常時はオープンであるＮＯ端子と共通端子（ＣＯＭ）は導通し、常時はクローズであるＮＣ端子と共通端子（ＣＯＭ）は非導通となる。
【００３４】
図９は、ヒンジ用カバー６０が切欠部５０に装着された状態を示す図であり、図９（Ａ）は、報知手段である発光ダイオード７１を上下に通る線で切った一部断面図であり、図９（Ｂ）は正面図である。なお、、図９では理解を容易にするためにリンク２５、回転軸１９、回転体２２等の図示を省略している。
【００３５】
ヒンジ用カバー６０は、扉Ｄに形成された切欠部５０を開閉する為に設けられ、該ヒンジ用カバー６０が切欠部５０に装着されると切欠部５０は塞がれ、本体１３は外部に露出しないようになる。ヒンジ用カバー６０は樹脂製で略正方形状をしており、背面には係合部６２が形成されている。係合部６２は、切欠部５０の開口に対応して形成された立壁であり、ヒンジ用カバー６０を扉Ｄに押しつけることにより係合部６２を内方に撓ませ、図９に示すようにヒンジ用カバー６０を切欠部５０に装着することが可能に構成されている。ヒンジ用カバー６０の正面視中ほどには発光ダイオード７１が外から見えるように取り付けることができる孔が設けられ、発光ダイオード７１が取り付けられている。図９においては、発光ダイオード７１の配線を省略しているが、図１０のように他の電気部品と接続されている。
【００３６】
次に、図１０を参照して報知手段を制御する電気回路について説明する。マイクロスイッチ７０内部のスイッチＳＷの共通端子（ＣＯＭ）は電池７３のプラス側に接続され、ＮＯ端子は抵抗Ｒを介してフォトトランジスタ７２のコレクターに接続されている。フォトトランジスタ７２のエミッターは報知手段である発光ダイオード７１のアノードに接続され、発光ダイオード７１のカソードは電池７３のマイナス側に接続されている。フォトトランジスタ７２は光が入射すると内部抵抗が小さくなり、コレクター・エミッター間がほぼ導通する半導体スイッチング素子である。本実施形態においては、フォトトランジスタ７２は扉Ｄが戸袋９２に収納されていることを検知する戸袋収納検知手段として機能する。図８（Ａ）のように扉Ｄが戸袋９２に収まっている時は、フォトトランジスタ７２に光が入射しない不図示の位置にフォトトランジスタ７２は取り付けられている。図８（Ｂ）のように扉Ｄが戸袋９２外に出されると、フォトトランジスタ７２に光が入射するので、スイッチＳＷが導通（ＮＯ端子とＣＯＭ端子が導通）していれば、電池７３の電気が発光ダイオード７１に流れ発光ダイオード７１は動作して点灯する。
【００３７】
以上のように構成されたヒンジ２によれば、扉Ｄを戸袋９２外に出した時に発光ダイオード７１が点灯していれば、ヒンジ本体１０のピボット軸１７が軸受け７に適正に嵌合されていることになる。即ち、ヒンジ本体１０のピボット軸１７が軸受け７に適正に嵌合されていれば、回転体２２の突出部２２ａに連結されているリンク２５がマイクロスイッチ７０のアームを押すので、マイクロスイッチ７０内部のスイッチＳＷが作動して共通端子（ＣＯＭ）とＮＯ端子が導通し、周囲の光が入射して内部抵抗が小さくなったフォトトランジスタ７２を経由して電池７３の電気が発光ダイオード７１に流れ発光ダイオード７１は点灯するからである。従って、施工作業が完了した後であっても発光ダイオード７１を一見するだけでヒンジ本体１０のピボット軸１７が軸受け７に適正に嵌合されていることを確認することができる。扉Ｄが設置されている場所は必ずしも明るい場所ではないので、発光ダイオード７１の光による確認は非常に見やすく、確認の作業性は極めて良い。また、防火扉のような扉Ｄは普段は戸袋９２内に収納されており、フォトトランジスタ７２が発光ダイオード７１に流れる電流を阻止するので、電池７３の不要の消耗を防ぐことができ、長期に渡ってピボット軸１７の状態を容易に確認することができる。
【００３８】
−本発明に係る他の実施形態−
図１１は本発明に係る他の実施形態を説明するものである。ヒンジ本体１０及び第２のヒンジ８０（この場合、上部ヒンジともいう）はそれぞれ扉Ｄ及び扉枠５に実際は内装されて使用されるものであるが、扉Ｄ及び扉枠５は図示を省略しヒンジ本体１０と第２のヒンジ８０の位置関係が分かるように図示されている。なお、ヒンジ本体１０については既に説明したので説明を省略する。
【００３９】
第２のヒンジ８０は主に基体８１で構成され、基体８１は図中左端にピボット軸１７を挿抜可能な軸受け８３を備えている。軸受け８３の軸芯はピボット軸１７と同軸上に配置され、ピボット軸１７が軸受け８３に挿入された時には、ピボット軸１７を回転可能に支持する。そして、ピボット軸１７が軸受け８３に挿入されると、扉Ｄが扉枠５に対して吊り込まれ、扉Ｄが水平方向に回動可能になる。
【００４０】
第２のヒンジ８０の基体８１には、ブラケット８２を介してマイクロスイッチ７０が取り付けられている。マイクロスイッチ７０のアームはピボット軸１７の軸線上に位置しており、ピボット軸１７が軸受け８３に挿入され、扉Ｄが扉枠５に対して吊り込まれ、扉Ｄが水平方向に回動可能になった時には、ピボット軸１７の先端がマイクロスイッチ７０のアームを押す位置に取り付けられている。したがって、ピボット軸１７が軸受け８３に適正に嵌合すると、ピボット軸１７の先端がマイクロスイッチ７０のアームを押すので、マイクロスイッチ７０内のスイッチＳＷが作動して共通端子（ＣＯＭ）とＮＯ端子が導通し、図１０の回路によって基体８１に設けられた発光ダイオード７１が点灯する。
【００４１】
本発明によるヒンジは、上述した実施形態に限定されず、特許請求の範囲に記載した範囲で種々の変形や改良が可能である。例えば、上述した実施形態においては図１０の回路においてフォトトランジスタ７２を設けているが、これを省略することも可能である。その場合、電池７３の消耗は早くなるが発光ダイオード７１の消費電流は小さいので初期の目的は達成可能である。また、上述した実施形態においては、マイクロスイッチ７０を使用した構成を説明したが、マイクロスイッチ７０と実質的に同じ機能を果たすものであれば、他の機械式、あるいは、発光素子と受光素子との組み合わせや磁気センサ等の電磁気的なスイッチに置き換えることも可能であり、フォトトランジスタ７２についても、他の機械式、あるいは、発光素子と受光素子との組み合わせや磁気センサ等の電磁気的なスイッチに置き換えることも可能である。さらに、報知手段として発光ダイオード７１を使用した構成を説明したが、これをブザーに置き換えることも可能である。また、これまでの説明はすべてピボット軸１７が軸受け７または軸受け８３に適正に嵌合するとスイッチＳＷが作動して共通端子（ＣＯＭ）とＮＯ端子が導通し発光ダイオード７１が点灯するというものであったが、ピボット軸１７が軸受け７または軸受け８３に適正に嵌合すると発光ダイオード７１が消灯するようにしてもよい。図１０において、抵抗Ｒの一方をマイクロスイッチ７０のＮＣ端子に接続することも可能であり、このような構成にすると、ピボット軸１７が軸受け７または軸受け８３に適正に嵌合するとスイッチＳＷが作動して共通端子（ＣＯＭ）とＮＣ端子が導通せず、発光ダイオード７１が動作せず消灯することになる。この場合、発光ダイオード７１の点灯はピボット軸１７が軸受け７または軸受け８３に適正に嵌合していないことを意味する。
【符号の説明】
【００４２】
Ｄ      扉
ＳＷ    スイッチ
２      ヒンジ
３      第２のヒンジ
４      基体
５      扉枠
７      軸受け
１０    ヒンジ本体
１１    基体
１２    側体
１３    本体
１７    ピボット軸
１９    回転軸
２０    操作部（係合部）
２５    リンク
２８    溝
５０    切欠部
６０    ヒンジ用カバー
７０    マイクロスイッチ
７１    発光ダイオード
７２    フォトトランジスタ
８０    第２のヒンジ
８１    基体
８３    軸受け
【図１】
2012202180.tif 000003
【図２】
2012202180.tif 000004
【図３】
2012202180.tif 000005
【図４】
2012202180.tif 000006
【図５】
2012202180.tif 000007
【図６】
2012202180.tif 000008
【図７】
2012202180.tif 000009
【図８】
2012202180.tif 000010
【図９】
2012202180.tif 000011
【図１０】
2012202180.tif 000012
【図１１】
2012202180.tif 000013